【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
ゴム組成物であって、
官能化エラストマーを含むエラストマー成分、
補強充填剤、及び
カップリング剤、
を含み、
前記官能化エラストマーが、
エポキシ官能基、
ヒドロキシ官能基、及び
Ｃ１〜Ｃ３２ヒドロカルビル置換チオ官能基
を含み、かつ、前記ヒドロキシ官能基と前記Ｃ１〜Ｃ３２ヒドロカルビル置換チオ官能基とがビシナル官能基である、
ゴム組成物。
【請求項２】
前記官能化エラストマーが、ＡＳＴＭ  Ｄ７４２６−０８（２０１３）に準拠して特定して、−１０〜−９０℃のガラス転移温度を有することを特徴とする、請求項１に記載のゴム組成物。
【請求項３】
前記ヒドロカルビル基が、
置換又は非置換のＣ１〜Ｃ３２アルキル基、置換又は非置換のＣ２〜Ｃ３２アルケニル基、置換又は非置換のＣ３〜Ｃ１８シクロアルキル基、置換又は非置換のＣ３〜Ｃ１８ヘテロシクロアルキル基、置換又は非置換のＣ６〜Ｃ１８アリール基、若しくは、置換又は非置換のＣ４〜Ｃ１８ヘテロアリール基、又は上記の少なくとも１つを含む組合せである
ことを特徴とする、請求項１又は２に記載のゴム組成物。
【請求項４】
前記官能化エラストマーが、官能化された不飽和エラストマーであり、
前記不飽和エラストマーが、天然ポリイソプレンゴム；合成ポリイソプレンゴム；１，３−ブタジエン、２−メチル−１，３−ブタジエン、１，３−ペンタジエン、２−クロロ−１，３−ブタジエン、又は２，３−ジメチル−１，３−ブタジエンの単独重合体；１，３−ブタジエン、２−メチル−１，３−ブタジエン、１，３−ペンタジエン、２−クロロ−１，３−ブタジエン、又は２，３−ジメチル−１，３−ブタジエンと、スチレン、α−メチルスチレン、アクリロニトリル、イソプレン、メタアクリロニトリル、アクリル酸メチル、アクリル酸エチル、メタクリル酸メチル、メタクリル酸エチル、又は酢酸ビニルとの共重合体；クロロプレンゴム；ブチルゴム；ハロゲン化ブチルゴム；ニトリルゴム；水素化ニトリルゴム；エチレン−プロピレンゴム；エチレン−プロピレン−ジエンゴム；不飽和シリコーンゴム；又は上記の少なくとも１つを含む組合せを含む
ことを特徴とする、請求項１から３のいずれか一項に記載のゴム組成物。
【請求項５】
前記官能化エラストマーは、合計で１〜１５モルパーセントのヒドロキシ、エポキシ及びチオの官能化を有することを特徴とする、請求項１から４のいずれか一項に記載のゴム組成物。
【請求項６】
前記官能化エラストマーが、１０〜６０モルパーセントのビニル含量及び５〜５０モルパーセントのスチレン含量を有する官能化ポリ（スチレン−ブタジエン）ゴムであることを特徴とする、請求項１から５のいずれか一項に記載のゴム組成物。
【請求項７】
前記ゴム組成物の総重量に基づいて、１０〜７０質量％の前記官能化エラストマーを含むことを特徴とする、請求項１から６のいずれか一項に記載のゴム組成物。
【請求項８】
前記補強充填剤が、４０〜４００ｍ２／ｇの表面積を有することを特徴とする、請求項１から７のいずれか一項に記載のゴム組成物。
【請求項９】
前記補強充填剤がシリカを含むことを特徴とする、請求項１から８のいずれか一項に記載のゴム組成物。
【請求項１０】
前記補強充填剤を、前記エラストマー成分１００重量部あたり、２０〜１２０重量部の量で含むことを特徴とする、請求項１から９のいずれか一項に記載のゴム組成物。
【請求項１１】
前記カップリング剤が、ポリスルフィド架橋を形成する２〜４個の硫黄原子を有するビス（３−エトキシシリルプロピル）ポリスルフィドを含むポリスルフィドシランカップリング剤であることを特徴とする、請求項１から１０のいずれか一項に記載のゴム組成物。
【請求項１２】
前記補強充填剤の総重量に基づいて、５〜１０質量％の前記カップリング剤を含むことを特徴とする、請求項１から１１のいずれか一項に記載のゴム組成物。
【請求項１３】
請求項１から１２のいずれか一項に記載のゴム組成物を含む物品。
【請求項１４】
前記物品が、タイヤ部品であることを特徴とする、請求項１３に記載の物品。
【手続補正２】
【補正対象書類名】明細書
【補正対象項目名】００９３
【補正方法】変更
【補正の内容】
【００９３】
「置換された」とは、化合物又は基が、水素の代わりに、少なくとも１つ（例えば、１つ、２つ、３つ、又は４つ）の置換基で置換されることを意味し、ここで、置換された原子の通常の価数を超えず、かつ、その置換が、化合物の製造、安定性、又は所望の特性に顕著に悪影響を与えないことを条件として、各置換基は、独立して、ニトロ（−ＮＯ２）、シアノ（−ＣＮ）、ヒドロキシ（−ＯＨ）、ハロゲン、チオール（−ＳＨ）、チオシアノ（−ＳＣＮ）、Ｃ１〜６アルキル、Ｃ２〜６アルケニル、Ｃ２〜６アルキニル、Ｃ１〜６ハロアルキル、Ｃ１〜９アルコキシ、Ｃ１〜６ハロアルコキシ、Ｃ３〜１２シクロアルキル、Ｃ５〜１８シクロアルケニル、Ｃ６〜１２アリール、Ｃ７〜１３アリールアルキレン（例えばベンジル）、Ｃ７〜１２アルキルアリーレン（例えばトルイル）、Ｃ４〜１２ヘテロシクロアルキル、Ｃ３〜１２ヘテロアリール、Ｃ１〜６アルキルスルホニル（−Ｓ（＝Ｏ）２−アルキル）、Ｃ６〜１２アリールスルホニル（−Ｓ（＝Ｏ）２−アリール）、又はトシル（ＣＨ３Ｃ６Ｈ４ＳＯ２−）である。化合物が置換されている場合、炭素原子の表示数は、置換基のものを含めた、基内の炭素原子の総数である。
他の実施形態
１．  ゴム組成物であって、
官能化エラストマーを含むエラストマー成分、
補強充填剤、及び
カップリング剤、
を含み、
前記官能化エラストマーが、
エポキシ官能基、
ヒドロキシ官能基、及び
Ｃ１〜Ｃ３２ヒドロカルビル置換チオ官能基
を含み、かつ、前記ヒドロキシ官能基と前記Ｃ１〜Ｃ３２ヒドロカルビル置換チオ官能基とがビシナル官能基である、
ゴム組成物。
２．  前記官能化エラストマーが、ＡＳＴＭ  Ｄ７４２６−０８（２０１３）に準拠して特定して、−１０〜−９０℃のガラス転移温度を有することを特徴とする、実施形態１に記載のゴム組成物。
３．  前記ヒドロカルビル基が、
置換又は非置換のＣ１〜Ｃ３２アルキル基、置換又は非置換のＣ２〜Ｃ３２アルケニル基、置換又は非置換のＣ３〜Ｃ１８シクロアルキル基、置換又は非置換のＣ３〜Ｃ１８ヘテロシクロアルキル基、置換又は非置換のＣ６〜Ｃ１８アリール基、若しくは、置換又は非置換のＣ４〜Ｃ１８ヘテロアリール基、又は上記の少なくとも１つを含む組合せであり；
好ましくは、置換又は非置換のＣ１〜Ｃ１６アルキル基、置換又は非置換のＣ３〜Ｃ１６シクロアルキル基、置換又は非置換のＣ３〜Ｃ１６ヘテロシクロアルキル基、置換又は非置換のＣ６〜Ｃ１６アリール基、置換又は非置換のＣ４〜Ｃ１６ヘテロアリール基、又は上記の少なくとも１つを含む組合せであり；
さらに好ましくは、置換又は非置換のＣ１〜Ｃ１２アルキル基、より好ましくは、非置換のＣ２〜Ｃ８アルキル基であり；
さらに一層好ましくは、非置換のＣ３〜Ｃ８アルキル基である
ことを特徴とする、実施形態１又は２に記載のゴム組成物。
４．  前記官能化エラストマーが、官能化された不飽和エラストマーであり、
前記不飽和エラストマーが、天然ポリイソプレンゴム；合成ポリイソプレンゴム；１，３−ブタジエン、２−メチル−１，３−ブタジエン、１，３−ペンタジエン、２−クロロ−１，３−ブタジエン、又は２，３−ジメチル−１，３−ブタジエンの単独重合体；１，３−ブタジエン、２−メチル−１，３−ブタジエン、１，３−ペンタジエン、２−クロロ−１，３−ブタジエン、又は２，３−ジメチル−１，３−ブタジエンと、スチレン、α−メチルスチレン、アクリロニトリル、イソプレン、メタアクリロニトリル、アクリル酸メチル、アクリル酸エチル、メタクリル酸メチル、メタクリル酸エチル、又は酢酸ビニルとの共重合体；クロロプレンゴム；ブチルゴム；ハロゲン化ブチルゴム；ニトリルゴム；水素化ニトリルゴム；エチレン−プロピレンゴム；エチレン−プロピレン−ジエンゴム；不飽和シリコーンゴム；又は上記の少なくとも１つを含む組合せを含み、
好ましくは、前記不飽和エラストマーが、ポリブタジエンゴム、ポリ（アクリロニトリル−ブタジエン）ゴム、ポリ（スチレン−ブタジエン）ゴム、ポリイソプレンゴム、ネオプレンゴムを含み、さらに好ましくは、ポリブタジエンゴム、ポリ（スチレン−ブタジエン）ゴム、又は上記の少なくとも１つを含む組合せを含む
ことを特徴とする、実施形態１から３のいずれか一項に記載のゴム組成物。
５．  前記官能化エラストマーは、合計で１〜１５モルパーセント、好ましくは１〜１２モルパーセント、さらに好ましくは１〜１０モルパーセントのヒドロキシ、エポキシ及びチオの官能化を有することを特徴とする、実施形態１から４のいずれか一項に記載のゴム組成物。
６．  前記官能化エラストマーが、１０〜６０モルパーセントのビニル含量及び５〜５０モルパーセントのスチレン含量を有する官能化ポリ（スチレン−ブタジエン）ゴムであることを特徴とする、実施形態１から５のいずれか一項に記載のゴム組成物。
７．  前記ゴム組成物の総重量に基づいて、１０〜７０質量％、好ましくは１０〜６０質量％、さらに好ましくは２０〜６０質量％の前記官能化エラストマーを含むことを特徴とする、実施形態１から６のいずれか一項に記載のゴム組成物。
８．  前記補強充填剤が、４０〜４００ｍ２／ｇ、好ましくは８０〜３００ｍ２／ｇの表面積を有することを特徴とする、実施形態１から７のいずれか一項に記載のゴム組成物。
９．  前記補強充填剤がシリカを含むことを特徴とする、実施形態１から８のいずれか一項に記載のゴム組成物。
１０．  前記補強充填剤を、前記エラストマー成分１００重量部あたり、２０〜１２０重量部、好ましくは５０〜１００重量部の量で含むことを特徴とする、実施形態１から９のいずれか一項に記載のゴム組成物。
１１．  前記カップリング剤が、ポリスルフィド架橋を形成する２〜４個の硫黄原子を有するビス（３−エトキシシリルプロピル）ポリスルフィドを含むポリスルフィドシランカップリング剤であることを特徴とする、実施形態１から１０のいずれか一項に記載のゴム組成物。
１２．  前記補強充填剤の総重量に基づいて、５〜１０質量％の前記カップリング剤を含むことを特徴とする、実施形態１から１１のいずれか一項に記載のゴム組成物。
１３．  実施形態１から１２のいずれか一項に記載のゴム組成物を含む物品。
１４．  前記物品が、タイヤ部品、好ましくはタイヤトレッドであることを特徴とする、実施形態１３に記載の物品。